(57)【要約】      （修正有）【課題】ディスクと当接部との噛み込み現象を防止する。【解決手段】ディスク駆動装置は、ブラシレスモータの回転軸２に装着されてディスクを載置する回転テーブル３と、この回転テーブル３の中央穴３ａ内から離反する軸方向へ弾力付勢され、ディスクの中央貫通孔に嵌ってディスクを調芯保持するセンタリング部５とを有する。センタリング部５は、中心側の緩いテーパ部Ｔ１から放射方向に突出して中央貫通孔の内周縁に当接する非弾力性当接部５ｂを有し、周方向に隣接する非弾力性当接部５ｂ，５ｂの間に内周縁に対して隙間を形成するための外周溝部５ｃを有する。【選択図】図３
2010129160.tif 000002
【特許請求の範囲】
【請求項１】
モータ回転軸に装着されてディスクを載置する回転テーブルと、この回転テーブルの中央穴内から離反する軸方向へ弾力付勢され、前記ディスクの中央貫通孔に嵌って当該ディスクを調芯保持するセンタリング部とを有するディスク駆動装置において、前記センタリング部は、中心側のテーパ部から放射方向に突出して前記中央貫通孔の内周縁に当接する非弾力性当接部を有し、周方向に隣接する前記非弾力性当接部同士の間に前記内周縁に対して隙間を形成するための外周溝部を有することを特徴とするディスク駆動装置。
【請求項２】
請求項１に記載のディスク駆動装置において、前記外周溝部の実質的な深さは０．１ｍｍであることを特徴とするディスク駆動装置。
【請求項３】
請求項１又は請求項２に記載のディスク駆動装置において、前記外周溝部の円弧長は前記非弾力性当接部の周方向の幅よりも長いことを特徴とするディスク駆動装置。
【発明の詳細な説明】
【技術分野】
【０００１】
本発明は、高容量ＤＶＤなどのディスク駆動装置に関し、特に、ディスクの中心貫通孔に嵌ってディスクを調芯保持するセンタリング機構に関する。
【背景技術】
【０００２】
特開２００７−５９０４０に開示のディスク駆動装置は、モータ回転軸に装着されてディスクを載置する回転テーブルと、この回転テーブルの中央穴内から離反する軸方向へ弾力付勢され、ディスクの中央貫通孔に嵌って当該ディスクを調芯保持するセンタリング部とを有し、センタリング部は中央貫通孔の内周縁に当接する弾力性当接部を有し、この弾力性当接部の当接面の面粗度Ｒｙは略５μｍ≦Ｒｙ≦略２０μｍの範囲内を満たすようにしてある。
【０００３】
当接面にこのような面粗度Ｒｙを持たせる理由は、高速回転中に発生するディスクのアンバランスに起因する一方方向に向かう遠心力によって弾力性当接部が一方的に押され、ディスクと弾力性当接部との当接力が強くなり、ディスクと弾力性当接部とが噛み込んでしまう噛み込み現象を、弾力性当接部の軸方向に移動する際の摩擦係数が低くなることにより防ぐことができ、記録再生エラーを無くすことができるからである。
【特許文献１】特開２００７−５９０４０（図２）
【発明の開示】
【発明が解決しようとする課題】
【０００４】
上記の面粗度Ｒｙはセンタリング部の樹脂成形の際に用いる金型の面粗さを設定することで得られるものの、ディスク駆動装置の使用環境や使用年数によっては当接面に塵埃，油性分の付着や摩滅を生じ、当接面の摩擦係数は面粗度Ｒｙのみに一義的に依存するものではないため、噛み込み現象防止の信頼性に乏しい。
【０００５】
また、実際問題として、樹脂成形時での成形厚の精度は０．１ｍｍ（１００μｍ）程度が通常であることから、製品を上記面粗度の範囲に収めるには歩留まりの低下を招く。
【０００６】
そこで上記問題点に鑑み、本発明の課題は、当接面の面粗度を所定範囲に設定する必要なく、ディスクと当接部との噛み込み現象を防止できるディスク駆動装置を提供することにある。
【課題を解決するための手段】
【０００７】
本発明は、モータ回転軸に装着されてディスクを載置する回転テーブルと、この回転テーブルの中央穴内から離反する軸方向へ弾力付勢され、ディスクの中央貫通孔に嵌って当該ディスクを調芯保持するセンタリング部とを有するディスク駆動装置において、センタリング部は、中心側のテーパ部から放射方向に突出して中央貫通孔の内周縁に当接する非弾力性当接部を有し、周方向に隣接する非弾力性当接部同士の間に内周縁に対して隙間を形成するための外周溝部を有することを特徴とする。
【０００８】
中央貫通孔の内周縁に当接する当接部は非弾力性であって、しかも、外周溝部が周方向に隣接する非弾力性当接部同士との間に形成されているため、非弾力性当接部が中央貫通孔の内周縁に当接してディスクが調芯保持された状態では、中央貫通孔の内周縁との間に円弧状の隙間を確保でき、非弾力性当接部の軸方向に移動する自由度があるので、ディスクの高速回転時ではディスクと当接部との噛み込み現象を防止でき、記録再生エラーを無くすことができる。
【０００９】
この外周溝部の実質的な深さとしては０．１ｍｍで十分である。また、外周溝部の円弧長は非弾力性当接部の周方向の幅よりも長いことが望ましい。
【発明の効果】
【００１０】
本発明によれば、ディスクと当接部との噛み込み現象を防止でき、記録再生エラーを無くすことができる。
【発明を実施するための最良の形態】
【００１１】
次に、本発明の実施形態を添付図面に基づいて説明する。図１は本発明の一実施例に係るディスク駆動装置を示す斜視図、図２は同ディスク駆動装置の回転テーブル側を示す縦断面図、図３は同回転テーブル側を示す平面図及びその一部を拡大した部分図である。
【００１２】
本例のディスク駆動装置は、ブラシレスモータ１と、その回転軸２に装着されてディスクＤを載置する樹脂製の回転テーブル３と、この回転テーブル３の中央穴３ａ内から離反する軸方向へコイルバネ４で弾力付勢され、ディスクＤの中央貫通孔Ｈに嵌って当該ディスクＤを調芯保持する樹脂製のセンタリング部５と、このセンタリング部５の中央穴５ａ内で回転軸２の先端部に嵌るバックヨーク６と、このバックヨーク６上に設けられ、カバー側のディスク押え（図示せず）を吸引する円環状のチャッキングマグネット７とを備えている。
【００１３】
なお、Ｂは回転テーブル３内の円環状路内を転動するボールバランサ、３ｂは滑り止めラバー、３ｃは回転テーブル３の成形時において樹脂注入口に対応して残った痕跡突起である。
【００１４】
センタリング部５は、中心側の緩いテーパ部Ｔ１とこの外周側に一体的に形成された急なテーパ部Ｔ２とから成り、急なテーパ部Ｔ２は、４５°毎の放射方向に突出して中央貫通孔Ｈの内周縁ｆに当接する非弾力性当接部５ｂを有し、急なテーパ部Ｔ２の外周面と隣接する非弾力性当接部５ｂ，５ｂ同士との間に、中央貫通孔Ｈの内周縁ｆに対して隙間を形成するための外周溝部５ｃが設けられている。この外周溝部５ｃの溝底面を形成するテーパ面は非弾力性当接部５ｂの当接面であるテーパ面と平行になるよう形成されている。そして、外周溝部５ｃの実質的な深さｄ＝０．１ｍｍで、外周溝部５ｃの円弧長は非弾力性当接部５ｂの周方向の幅よりも長くなっている。
【００１５】
本例において、中央貫通孔Ｈの内周縁ｆに当接する当接部５ｂは非弾力性であって、しかも、外周溝部５ｃが周方向に隣接する非弾力性当接部５ｂ，５ｂ同士との間に形成されているため、非弾力性当接部５ｂが中央貫通孔Ｈの内周縁ｆに当接してディスクＤが調芯保持された状態では、中央貫通孔Ｈの内周縁ｆとの間に円弧状の隙間を確保でき、非弾力性当接部５ｂの軸方向に移動する自由度があるので、ディスクＤの高速回転時ではディスクＤと当接部５ｂとの噛み込み現象を防止でき、記録再生エラーを無くすことができる。
【図面の簡単な説明】
【００１６】
【図１】本発明の一実施例に係るディスク駆動装置を示す斜視図である。
【図２】同ディスク駆動装置の回転テーブル側を示す縦断面図である。
【図３】同回転テーブル側を示す平面図及びその一部を拡大した部分図である。
【符号の説明】
【００１７】
１…ブラシレスモータ
２…回転軸
３…回転テーブル
３ａ，５ａ…中央穴
３ｂ…滑り止めラバー
３ｃ…痕跡突起
４…コイルバネ
５…センタリング部
５ｂ…非弾力性当接部
５ｃ…外周溝部
６…バックヨーク
７…チャキングマグネット
Ｂ…ボールバランサ
Ｄ…ディスク
ｄ…深さ
ｆ…内周縁
Ｈ…中央貫通孔
Ｔ１…緩いテーパ部
Ｔ２…急なテーパ部
【図１】
2010129160.tif 000003
【図２】
2010129160.tif 000004
【図３】
2010129160.tif 000005